(57)【要約】【課題】音声および映像が多重化されている符号化ストリームを復号したオーディオ復号データおよびビデオ復号データを、符号化し記録する場合に、特殊再生処理を行ったオーディオ復号データおよびビデオ復号データを符号化し記録することが不可能であった。【解決手段】特殊再生手段210,211により特殊再生処理を行ったオーディオ復号データおよびビデオ復号データを符号化手段218,219の入力データとする経路と、特殊再生手段210,211により特殊再生処理を行ったオーディオ復号データおよびビデオ復号データと、特殊再生手段210,211により特殊再生処理を行っていないオーディオ復号データおよびビデオ復号データを、符号化手段218,219の入力データとして選択可能な入力データ切換え手段224,225を設ける。【選択図】図２
2006319396.tif 000002
【特許請求の範囲】
【請求項１】
音声および映像の符号化ストリームを復号する復号手段と、復号した音声および映像データを出力する出力手段と、復号した音声および映像データを符号化する符号化手段と、符号化した音声および映像の符号化ストリームを記録する記録手段を有する再生記録装置であって、復号した音声および映像データに特殊再生処理を行い出力する再生記録装置において、
特殊再生手段により特殊再生処理を行った音声および映像データを前記符号化手段の入力データとする経路を有する再生記録装置。
【請求項２】
特殊再生手段により特殊再生処理を行った音声および映像データと、前記特殊再生手段により特殊再生処理を行っていない音声および映像データを、前記符号化手段の入力データとして選択可能な入力データ切換え手段を有する請求項１記載の再生記録装置。
【請求項３】
特殊再生手段により特殊再生処理を行っていない音声および映像データを、前記符号化手段により符号化した音声および映像の符号化データを、再び前記復号手段の入力データとして復号し、前記特殊再生手段によって特殊再生処理を行い、前記出力手段より出力する、または、
前記特殊再生手段により特殊再生処理を行った音声および映像データを前記符号化手段の入力データとし、前記符号化手段により符号化した音声および映像の符号化データを、再び前記復号手段の入力データとして復号し、前記特殊再生手段により特殊再生処理を行わずに前記出力手段より出力することにより、前記特殊再生手段で特殊再生処理を行う位置を選択する請求項１記載の再生記録装置。
【請求項４】
前記符号化手段によって符号化した音声および映像の符号化ストリームを、再生機能を有する外部再生手段で再生する場合において、前記外部再生手段が有していない特殊再生機能については、前記特殊再生手段により前記特殊再生機能を実現する特殊再生処理を行い、特殊再生処理した音声および映像データを入力データとして前記符号化手段により符号化することにより、前記外部再生手段が有していない前記特殊再生機能を前記外部再生手段に提供する請求項1記載の再生記録装置。
【請求項５】
特殊再生手段は倍速再生機能を有し、
前記復号手段により復号した音声および映像データを前記特殊再生手段により倍速再生処理を行い、前記符号化手段の入力データとして符号化し、前記記録手段により記録する請求項１記載の再生記録装置。
【発明の詳細な説明】
【技術分野】
【０００１】
本発明は、音声および映像の符号化ストリームを復号し再生する、また、復号した音声および映像データを符号化する再生記録装置に関するものである。
【背景技術】
【０００２】
近年、符号化された音声および映像の符号化ストリームを復号し再生する、また、復号した音声および映像データを符号化し記録する再生記録装置や、プログラムとして実装された再生記録方法が普及している。その多くの場合、ＭＰＥＧ規格（例えば、ＩＳＯ１１１７２、または、ＩＳＯ１３８１８）のように、音声はオーディオ符号化ストリームとして、また、映像はビデオ符号化ストリームとしてそれぞれ圧縮され、一つの多重化ストリームとしてシステムエンコードされている。システムエンコードされた多重化ストリームはシステムストリームとも呼ばれる。
【０００３】
従来の再生記録装置の構成を図１を用いて説明する。
【０００４】
ストリーム制御手段１０１は外部入力、またはストリームバッファ１  １０２よりシステムストリームを入力データとして受信する。ストリーム制御手段１０１にストリーム記録手段も兼ね備えている場合は、外部入力から受信したシステムストリームをそのままストリームバッファ１  １０２に記録することも可能である。ストリーム解析手段１０３は、システムストリームを解析し、オーディオ符号化ストリームとビデオ符号化ストリームとに分解し、オーディオ符号化ストリームをオーディオバッファ１  １０４、ビデオ符号化ストリームをビデオバッファ１  １０５にそれぞれ格納する。
【０００５】
これより、まず、再生処理について説明する。
【０００６】
音声については、オーディオ復号手段１０６は、オーディオバッファ１  １０４からオーディオ符号化ストリームを取得し、復号処理を行う。オーディオ復号手段１０６によって復号されたオーディオ復号データはオーディオバッファ３  １１６に格納される。オーディオスイッチ１  １０８によって、特殊再生処理を行うか、行わないかを切り替える。特殊再処理を行う場合は、オーディオ復号データはオーディオ特殊再生手段１１０へ送られる。オーディオ特殊再生手段１１０では、倍速再生処理や擬似サラウンド処理などの特殊再生処理を行い、オーディオバッファ２  １１２にオーディオ復号データを格納する。オーディオ出力手段１１４は、オーディオバッファ２  １１２に格納されたオーディオ復号データを出力する。
【０００７】
映像については、音声と同様に、ビデオ復号手段１０７はビデオバッファ１  １０５からビデオ符号化ストリームを取得し、復号処理を行う。ビデオ復号手段１０７によって復号されたビデオ復号データはビデオバッファ３  １１７に格納される。ビデオスイッチ１  １０９によって、特殊再生処理を行うか、行わないかを切り替える。特殊再処理を行う場合は、ビデオ復号データはビデオ特殊再生手段１１１へ送られる。ビデオ特殊再生手段１１１では、倍速再生などの特殊再生処理を行い、ビデオバッファ２  １１３にビデオ復号データを格納する。ビデオ出力手段１１５は、ビデオバッファ２  １１３に格納されたビデオ復号データを出力する
次に、記録処理について説明する。
【０００８】
オーディオ符号化手段１１８は、オーディオバッファ３  １１６に格納されたオーディオ復号データを入力データとして符号化処理を行い、オーディオ符号化ストリームを作成し、オーディオバッファ４  １２０に格納する。ビデオ符号化手段１１９は、ビデオバッファ３  １１７に格納されたビデオ復号データを入力データとして符号化処理を行い、ビデオ符号化ストリームを作成し、ビデオバッファ４  １２１に格納する。ストリーム記録手段１２２は、オーディオバッファ４  １２０とビデオバッファ４  １２１より、オーディオ符号化ストリームとビデオ符号化ストリームをそれぞれ取得し、システムストリームに符号化し、ストリームバッファ２  １２３に格納する。
【０００９】
特許文献１における再生記録装置は、システムストリーム中のCM挿入期間情報を生成し、システムストリームを記録する際にCM期間識別情報として多重化する。再生する際に前記CM期間識別情報を取得し、CMを自動スキップして再生する特殊再生機能を実現する。
【特許文献１】特開２００３−２５７１６０号公報
【発明の開示】
【発明が解決しようとする課題】
【００１０】
しかし従来の再生記録装置では、特殊再生手段によって特殊再生処理されたオーディオ復号データやビデオ復号データをシステムストリームに符号化し記録することができない。
【００１１】
したがって、特殊再生手段により特殊再生処理を行ったオーディオ復号データおよびビデオ復号データを符号化手段の入力データとする経路と、特殊再生手段により特殊再生処理を行ったオーディオ復号データおよびビデオ復号データと、特殊再生手段により特殊再生処理を行っていないオーディオ復号データおよびビデオ復号データを、符号化手段の入力データとして選択可能な入力データ切換え手段を備え、特殊再生手段によって特殊再生処理されたオーディオ復号データやビデオ復号データをシステムストリームに符号化し記録する再生記録装置を提供することを目的とする。
【課題を解決するための手段】
【００１２】
以上の課題を解決するために、本発明にかかる再生記録装置は、音声および映像の符号化ストリームを復号する復号手段と、復号した音声および映像データを出力する出力手段と、復号した音声および映像データを符号化する符号化手段と、符号化した音声および映像の符号化ストリームを記録する記録手段を有する再生記録装置であって、復号した音声および映像データに特殊再生処理を行い出力する再生記録装置において、特殊再生手段により特殊再生処理を行った音声および映像データを前記符号化手段の入力データとする経路を有する。
【００１３】
また、本発明にかかる再生記録装置は、特殊再生手段により特殊再生処理を行った音声および映像データと、前記特殊再生手段により特殊再生処理を行っていない音声および映像データを、前記符号化手段の入力データとして選択可能な入力データ切換え手段を有する。
【００１４】
また、本発明にかかる再生記録装置は、特殊再生手段により特殊再生処理を行っていない音声および映像データを、前記符号化手段により符号化した音声および映像の符号化データを、再び前記復号手段の入力データとして復号し、前記特殊再生手段によって特殊再生処理を行い、前記出力手段より出力する、または、
前記特殊再生手段により特殊再生処理を行った音声および映像データを前記符号化手段の入力データとし、前記符号化手段により符号化した音声および映像の符号化データを、再び前記復号手段の入力データとして復号し、前記特殊再生手段により特殊再生処理を行わずに前記出力手段より出力することにより、前記特殊再生手段で特殊再生処理を行う位置を選択することを特徴とする。
【００１５】
また、本発明にかかる再生記録装置は、前記符号化手段によって符号化した音声および映像の符号化ストリームを、再生機能を有する外部再生手段で再生する場合において、前記外部再生手段が有していない特殊再生機能については、前記特殊再生手段により前記特殊再生機能を実現する特殊再生処理を行い、特殊再生処理した音声および映像データを入力データとして前記符号化手段により符号化することにより、前記外部再生手段が有していない前記特殊再生機能を前記外部再生手段に提供することを特徴とする。
【００１６】
また、本発明にかかる再生記録装置は、特殊再生手段は倍速再生機能を有し、前記復号手段により復号した音声および映像データを前記特殊再生手段により倍速再生処理を行い、前記符号化手段の入力データとして符号化し、前記記録手段により記録することを特徴とする。
【発明の効果】
【００１７】
以上のように、本発明の再生記録装置によれば、特殊再生手段によって特殊再生処理されたオーディオ復号データやビデオ復号データをシステムストリームに符号化し記録することが可能となる。
【発明を実施するための最良の形態】
【００１８】
（実施の形態１）
はじめに、本発明の実施の形態１による再生記録装置および再生記録方法の構成を示すブロック図である図２を主として参照しながら、本実施の形態１の再生記録装置の構成、及び再生記録方法について説明する。図２は本発明の再生記録装置および再生記録方法の構成を表すブロック図である。
【００１９】
ストリーム制御手段２０１は外部入力、またはストリームバッファ１  ２０２よりシステムストリームを入力データとして受信する。ストリーム制御手段２０１にストリーム記録手段も兼ね備えている場合は、外部入力から受信したシステムストリームをそのままストリームバッファ１  ２０２に記録することも可能である。ストリーム解析手段２０３は、システムストリームを解析し、オーディオ符号化ストリームとビデオ符号化ストリームとに分解し、オーディオ符号化ストリームをオーディオバッファ１  ２０４、ビデオ符号化ストリームをビデオバッファ１  ２０５にそれぞれ格納する。
【００２０】
これより、まず、再生処理について説明する。
【００２１】
音声については、オーディオ復号手段２０６は、オーディオバッファ１  ２０４からオーディオ符号化ストリームを取得し、復号処理を行う。オーディオ復号手段２０６によって復号されたオーディオ復号データはオーディオバッファ３  ２１６に格納される。オーディオスイッチ１  ２０８によって、特殊再生処理を行うか、行わないかを切り替える。特殊再処理を行う場合は、オーディオ復号データはオーディオ特殊再生手段２１０へ送られる。オーディオ特殊再生手段２１０では、倍速再生処理や擬似サラウンド処理などの特殊再生処理を行い、オーディオバッファ２  ２１２にオーディオ復号データを格納する。オーディオ出力手段２１４は、オーディオバッファ２  ２１２に格納されたオーディオ復号データを出力する。
【００２２】
映像については、音声と同様に、ビデオ復号手段２０７はビデオバッファ１  ２０５からビデオ符号化ストリームを取得し、復号処理を行う。ビデオ復号手段２０７によって復号されたビデオ復号データはビデオバッファ３  ２１７に格納される。ビデオスイッチ１  ２０９によって、特殊再生処理を行うか、行わないかを切り替える。特殊再処理を行う場合は、ビデオ復号データはビデオ特殊再生手段２１１へ送られる。ビデオ特殊再生手段２１１では、倍速再生などの特殊再生処理を行い、ビデオバッファ２  ２１３にビデオ復号データを格納する。ビデオ出力手段２１５は、ビデオバッファ２  ２１３に格納されたビデオ復号データを出力する
次に、記録処理について説明する。
【００２３】
オーディオスイッチ２  ２２４により、オーディオ符号化手段２１８の入力データとして、オーディオ復号手段２０６で復号したオーディオ復号データ、または、オーディオ特殊再生手段２１０で特殊再生処理を行ったオーディオ復号データを選択し、オーディオバッファ３  ２１６に格納する。オーディオ符号化手段２１８は、オーディオバッファ３  ２１６に格納されたオーディオ復号データを入力データとして符号化処理を行い、オーディオ符号化ストリームを作成し、オーディオバッファ４  ２２０に格納する。ビデオスイッチ２  ２２５により、ビデオ符号化手段２１９の入力データとして、ビデオ復号手段２０７で復号したビデオ復号データ、または、ビデオ特殊再生手段２１１で特殊再生処理を行ったビデオ復号データを選択し、ビデオバッファ３  ２１７に格納する。
【００２４】
ビデオ符号化手段２１９は、ビデオバッファ３  ２１７に格納されたビデオ復号データを入力データとして符号化処理を行い、ビデオ符号化ストリームを作成し、ビデオバッファ４  ２２１に格納する。ストリーム記録手段２２２は、オーディオバッファ４  ２２０とビデオバッファ４  ２２１より、オーディオ符号化ストリームとビデオ符号化ストリームをそれぞれ取得し、システムストリームに符号化し、ストリームバッファ２  ２２３に格納する。
【００２５】
ところで、図２には示していないが、実際の再生記録装置においては、ＣＰＵなどの制御手段が、各構成手段や各バッファ、スイッチを制御しているものとする。また、オーディオ復号データとビデオ復号データを出力手段によって出力する際や、オーディオ符号化ストリームとビデオ符号化ストリームをストリーム記録手段によってシステムストリームに符号化する際は同期処理が必要であり、この同期処理も制御手段が行うものとする。
【００２６】
また、スイッチ２０８，２０９，２２４，２２５は、トランジスタなどを用いてハードウェアで実現することも可能であり、また、プログラムを用いて入出力アドレス設定を変更することによりソフトウェアで実現することも可能である。
【００２７】
ここで、特殊再生処理として倍速再生を用いて、記録処理と再生処理で倍速再生を行う場合を説明する。
【００２８】
図３および図４を用いて、倍速再生処理を行ったデータを記録し、再び復号して出力する場合のデータの流れについて説明する。
【００２９】
図３は、システムストリームを復号し、倍速再生処理を行ったデータを符号化し記録する際の、データの流れを示した図である。
【００３０】
説明を簡単にするために、オーディオデータの流れに着目して説明する。
【００３１】
ストリーム制御手段３０１はストリームバッファ１  ３０２よりシステムストリームを入力データとして受信する。ストリーム解析手段３０３によって分解されたオーディオ符号化ストリームを入力データとしてオーディオ復号手段３０６は、復号処理を行う。オーディオスイッチ１  ３０８は、倍速再生処理を行うように経路を切り替え、オーディオ特殊再生手段３１０へオーディオ復号データを送る。オーディオ特殊再生手段３１０で、倍速再生処理を行い、オーディオバッファ２  ３１２にオーディオ復号データを格納する。オーディオスイッチ２  ３２４は、オーディオ符号化手段  ３１８の入力データとして、倍速再生処理したオーディオ復号データを選択するように経路を切り替え、オーディオバッファ３  ３１６にオーディオ復号データを格納する。オーディオ符号化手段３１８は、オーディオバッファ３  ３１６に格納されたオーディオ復号データを入力データとして符号化処理を行い、オーディオ符号化ストリームを作成し、オーディオバッファ４  ３２０に格納する。ビデオデータについてもオーディオ同様の処理を行い、ストリーム記録手段３２２によって、システムストリームに符号化し、ストリームバッファ２  ３２３に格納する。
【００３２】
次に、ストリームバッファ２  ３２３に記録した倍速再生処理を行ったシステムストリームを復号し、出力する場合のデータの流れを図４を用いて説明する。
【００３３】
図４は、図３において記録したシステムストリームを復号し、出力する際のデータの流れを示した図である。
【００３４】
ストリームバッファ１  ４０２に記録されているシステムストリームはストリームバッファ２  ４２３に記録したシステムストリームと同一のものとする。ストリーム制御手段４０１はストリームバッファ１  ４０２より倍速再生処理したシステムストリームを入力データとして受信する。ストリーム解析手段４０３によって分解されたオーディオ符号化ストリームはオーディオバッファ１  ４０４に格納される。オーディオ復号手段４０６は、オーディオバッファ１  ４０４からオーディオ符号化ストリームを取得し、復号処理を行う。オーディオスイッチ１  ４０８は、倍速再生処理を行う必要がないため経路を切り替え、オーディオ復号データをオーディオバッファ２  ４１２に格納する。オーディオ出力手段４１４は、オーディオバッファ２  ４１２に格納されたオーディオ復号データを出力する。
【００３５】
以上のように、記録処理側で倍速再生処理を行い、再生処理側で倍速再生処理を行わずに出力するような経路選択とデータの流れを簡略化した図が図５である。記録処理側において、復号手段５０１で復号した復号データはスイッチ１  ５０２によって倍速再生手段５０３へと送られ、倍速再生手段５０３では、倍速再生処理を行い、スイッチ２  ５０４によって、符号化手段５０５の入力データとして選択される。符号化手段５０５は復号データを符号化し、記録手段５０６によって符号化データを記録媒体５０８へと記録する。再生処理側において、記録処理側で記録した符号化データを入力として、復号手段５０９により復号し、スイッチ３  ５１０によって、復号データを出力手段５１２へと送る。出力手段５１２は再生処理側では倍速再生処理を行っていない復号データを入力データとして出力する。
【００３６】
図６は、記録処理側で倍速再生処理を行わず、再生処理側で倍速再生処理を行い出力する際の、経路選択とデータの流れを簡略化した図である。
【００３７】
記録処理側において、復号手段６０１で復号した復号データは、スイッチ１  ６０２、スイッチ２  ６０４によって、倍速再生処理されることなく符号化手段６０５へと送られる。符号化手段６０５は倍速再生処理されていない復号データを符号化し、記録手段６０６は記録媒体６０８へ符号化データを記録する。再生処理側において、記録処理側で記録した倍速再生処理していない符号化データを入力として復号手段６０９により復号し、スイッチ３  ６１０は倍速再生処理を行うために、倍速再生手段６１１へと復号データを送る。倍速再生手段６１１は倍速再生処理を行い、復号データを出力手段６１２へと送り、出力手段６１２は出力する。
【００３８】
このように、ストリームを記録し、記録したストリームを倍速再生された状態で出力されることを期待する場合、倍速再生処理を記録処理側で行うか、再生処理側で行うかを選択することにより、倍速再生処理分の負荷を、記録処理側あるいは再生処理側に振り分けることが可能である。また倍速再生処理記録処理側で行えば、記録媒体の使用量を削減できる。
【００３９】
ここで、倍速再生とは、ビデオ復号データとオーディオ復号データの再生速度を変換する処理のことである。例として1.5倍速再生について図７を用いて説明する。
【００４０】
ある時間におけるビデオ復号データ（図７ａ）とオーディオ復号データ（図７ｂ）について、それぞれデータを間引くことによって、データ量を圧縮し、再生時間を1.5倍にする。ここで、ピクチャとはMPEG規格で定義されている画像出力単位のことであり、Iピクチャはフレーム内符号化画像、Bピクチャは双方向予測符号化画像、Pピクチャはフレーム間順方向予測符号化画像である。ピクチャ７０１からピクチャ７０６までの6ピクチャを出力する時間（倍速再生処理前出力時間７１９）について、一定間隔でピクチャを破棄し、出力しない、つまり、ピクチャ７０３とピクチャ７０６を出力しないことにより、倍速再生処理後出力時間７２０を倍速再生処理前出力時間７１９の２／３倍に圧縮する。つまり、1.5倍速で再生する。オーディオ復号データについても同様に時間軸上でデータを間引くことにより再生時間を圧縮する。例えば、倍速再生処理前出力時間７１９と同じ時間である倍速再生処理前出力時間７２１に出力すべきオーディオ復号データ７１７について、開始点７１１から終了点７１２までと開始点７１３から終了点７１４のオーディオ復号データを間引くことにより、倍速再生処理後のオーディオ復号データ７１８の出力時間、倍速再生処理後出力時間７２２を倍速再生処理前出力時間７２１の２／３倍に圧縮する。つまり、1.5倍速で再生する。
【００４１】
なお、オーディオ復号データを間引く際は、つなぎ目７１５、７１６において連続になるように間引くと、再生の際に音切れなどが発生せず、違和感の少ない再生が可能である。また、倍速再生処理した後のビデオ復号データとオーディオ復号データについても同期して出力されることが望ましいが、ビデオ復号データあるいはオーディオ復号データを出力しなくてもよい。
【００４２】
（実施の形態２）
次に、実施の形態２として、再生処理と記録処理で、それぞれ特殊再生処理を行うことにより、高度な特殊再生処理を実現する例を図８を用いて説明する。
【００４３】
再生するストリームが5チャンネル分のオーディオデータを有しているが、再生処理側で、復号したオーディオ復号データを出力するスピーカが2チャンネル分しかないものとする。再生処理側では、5チャンネル分のオーディオデータデータを2チャンネル分のスピーカから出力するために、特殊再生処理として優先的に擬似サラウンド処理を行うものとする。この場合、記録処理側で予め他の特殊再生処理、例えば、アップサンプリング処理などの補間処理を行い、記録しておき、再生処理側で擬似サラウンド処理を行うことにより、複数の特殊再生処理を組み合わすことが可能となり、より高音質なオーディオデータを出力することが可能となる。
【００４４】
記録処理側でアップサンプリング処理を行い、再生処理側で擬似サラウンド処理を行う流れを図８を用いて説明する。図８は本発明の構成図２を簡単化した図である。
【００４５】
記録処理側において、復号手段８０１で復号した復号データは、スイッチ１  ８０２によって、アップサンプリング処理手段８０３へ送られる。アップサンプリング処理手段８０３は、復号データに対して補間処理を行う。スイッチ２  ８０４はアップサンプリング処理を行った復号データを選択し、符号化手段８０５へと送る。符号化手段８０５はアップサンプリング処理された復号データを符号化し、記録手段８０６は記録媒体８１０へ符号化データを記録する。再生処理側において、記録処理側で記録したアップサンプリング処理された符号化データを入力として復号手段８１１により復号し、スイッチ３  ８１２は擬似サラウンド処理を行うために、擬似サラウンド処理手段８１３へと復号データを送る。擬似サラウンド処理手段８１３は擬似サラウンド処理を行い、復号データを出力手段８１４へと送り、出力手段８１４は２つのスピーカ、スピーカ３  ８１５とスピーカ４  ８１６より出力する。
【００４６】
ここで、擬似サラウンド処理を図９を用いて説明する。5チャンネルのサラウンド音声がある場合、5チャンネルのスピーカ、例えば、センターチャンネル（Cch）９０３、レフトチャンネル（Lch）９０２、ライトチャンネル（Rch）９０４、サラウンドレフトチャンネル（SLch）９０１、サラウンドライトチャンネル（SRch）９０５から出力し、視聴位置９０６で視聴する。しかし、レフトチャンネル９０７、ライトチャンネル９０８しか出力先がない場合、他のチャンネルに対応するオーディオデータをレフトチャンネル９０７とライトチャンネル９０８に振り分けて出力することにより、視聴位置９０９において、視聴位置９０６と同様に、5チャンネル分のスピーカから出力されているような、擬似的なサラウンド効果を得ることが可能な処理である。
【００４７】
このように、記録処理側と再生処理側で特殊再生処理を行うことにより、複数の特殊再生処理を組み合わせることが可能である。もちろん、記録処理側と再生処理側に特殊再生処理の負荷を振り分ける効果もある。
【００４８】
（実施の形態３）
実施の形態３として、再生記録装置で記録したデータを携帯端末のような特殊再生手段を有していない再生装置で再生する場合について説明する。
【００４９】
倍速再生機能のない携帯再生装置等では、記録したデータを倍速再生で視聴したいが、不可能である。そこで、予め倍速再生処理した復号データを符号化し記録しておき、記録したデータを携帯再生装置で再生する。これにより、携帯再生装置であたかも倍速再生しているかのように視聴できる。
【００５０】
本発明の構成図２を簡単化した図１０を用いてデータ流れを説明する。
【００５１】
記録処理側において、復号手段１００１で復号した復号データは、スイッチ１  １００２によって、倍速再生手段１００３に送られる。倍速再生手段１００３は倍速再生処理を行う。スイッチ２  １００４は、倍速再生処理された復号データを選択し、符号化手段１００５に送る。符号化手段１００５は倍速再生処理された復号データを符号化し、記録手段１００６は記録媒体１００８へ符号化データを記録する。ここでは記録媒体１００８は携帯端末等の再生処理側で再生可能な媒体である。
【００５２】
再生処理側において、記録処理側で記録した倍速再生処理した符号化データを入力として復号手段１００９により復号し、出力手段１０１０は復号データを出力する。これにより、再生処理側で有していない特殊再生処理を実現することが可能である。
なお、実施の形態で示した構成図におけるバッファは、処理がリアルタイムに行える場合、あるいは、必要ない場合には省いても良い。
【００５３】
また、記録処理側と再生処理側は、必ずしもリアルタイムに処理される必要はない。
【００５４】
また、記録処理側と再生処理側は、空間的な連続性は問わない。つまり、同一の再生記録装置で、同一の処理手段を用いて行ってよいし、同一でなくてもよい。
【００５５】
また、例としてあげた特殊再生機能、特殊再生機能の組合せはこれに限るものではない。
【産業上の利用可能性】
【００５６】
本発明の再生記録装置は、復号したオーディオ復号データおよびビデオ復号データを符号化し記録する場合に、特殊再生処理を行ったオーディオ復号データおよびビデオ復号データを符号化し記録することを可能とする再生記録装置として有用である。
【図面の簡単な説明】
【００５７】
【図１】従来の再生記録装置の構成を示した説明図
【図２】本発明の実施の形態１に於ける再生記録装置の構成を示した説明図
【図３】本発明の実施の形態１に於ける再生記録装置の記録手順とデータの流れを示した説明図
【図４】本発明の実施の形態１に於ける再生記録装置の再生手順とデータの流れを示した説明図
【図５】本発明の実施の形態１に於ける再生記録装置を簡略化し、記録処理側で倍速再生処理を行ったときの記録手順と再生手順の流れを示した説明図
【図６】本発明の実施の形態１に於ける再生記録装置を簡略化し、再生処理側で倍速再生処理を行ったときの記録手順と再生手順の流れを示した説明図
【図７】（ａ）は倍速再生処理におけるビデオ復号データの圧縮方法を示した説明図（ｂ）は倍速再生処理におけるオーディオ復号データの圧縮方法を示した説明図
【図８】本発明の実施の形態２に於ける再生記録装置を簡略化し、記録処理側でアップサンプリング処理を行い再生処理側で擬似サラウンド処理を行った時の記録手順と再生手順の流れを示した説明図
【図９】本発明の実施の形態２に於いて示した擬似サラウンド処理の説明図
【図１０】本発明の実施の形態３に於ける再生記録装置を簡略化し、記録処理側で倍速再生処理を行ったときの記録手順と再生手順の流れを示した説明図
【符号の説明】
【００５８】
１０１、２０１、３０１、４０１    ストリーム制御手段
１０２、２０２、３０２、４０２    ストリームバッファ１
１０３、２０３、３０３、４０３    ストリーム解析手段
１０４、２０４、３０４、４０４    オーディオバッファ１
１０５、２０５、３０５、４０５    ビデオバッファ１
１０６、２０６、３０６、４０６    オーディオ復号手段
１０７、２０７、３０７、４０７    ビデオ復号手段
１０８、２０８、３０８、４０８    オーディオスイッチ１
１０９、２０９、３０９、４０９    ビデオスイッチ１
１１０、２１０、３１０、４１０    オーディオ特殊再生手段
１１１、２１１、３１１、４１１    ビデオ特殊再生手段
１１２、２１２、３１２、４１２    オーディオバッファ２
１１３、２１３、３１３、４１３    ビデオバッファ２
１１４、２１４、３１４、４１４    オーディオ出力手段
１１５、２１５、３１５、４１５    ビデオ出力手段
１１６、２１６、３１６、４１６    オーディオバッファ３
１１７、２１７、３１７、４１７    ビデオバッファ３
１１８、２１８、３１８、４１８    オーディオ符号化手段
１１９、２１９、３１９、４１９    ビデオ符号化手段
１２０、２２０、３２０、４２０    オーディオバッファ４
１２１、２２１、３２１、４２１    ビデオバッファ４
１２２、２２２、３２２、４２２    ストリーム記録手段
１２３、２２３、３２３、４２３    ストリームバッファ２
５０１、５０９、６０１、６０９、８０１、８１１、１００１、１００９    復号手段
５０２、６０２、８０２、１００２    スイッチ１
５０３、５１１、６０３、１００３    倍速再生手段
５０４、６０４、８０４、１００４    スイッチ２
５０５、５１４、６０５、６１４、８０５、８１８、１００５    符号化手段
５０６、５１５、６０６、６１５、８０６、８１９、１００６    記録手段
５０７、５１２、６０７、６１２、８０７、８１４、１００７、１０１０    出力手段
５０８、６０８、８１０、１００８    記録媒体
５１０、６１０、８１２    スイッチ３
５１３、６１３、８１７    スイッチ４
７０１、７０２、７０３、７０４、７０５、７０６、７０７、７０８、７０９、７１０    ピクチャ
７１１、７１３    間引き開始点
７１２、７１４    間引き終了点
７１５、７１６    つなぎ目
７１７    倍速再生前オーディオ復号データ
７１８    倍速再生後オーディオ復号データ
７１９、７２１    倍速再生処理前出力時間
７２０、７２２    倍速再生処理後出力時間
８０３    アップサンプリング処理手段
８０８    スピーカ１
８０９    スピーカ２
８１３    擬似サラウンド処理手段
８１５    スピーカ３
８１６    スピーカ４
９０１    サラウンドレフトチャンネル
９０２、９０７    レフトチャンネル
９０３    センターチャンネル
９０４、９０８    ライトチャンネル
９０５    サラウンドライトチャンネル
９０６、９０９    視聴位置
【図１】
2006319396.tif 000003
【図２】
2006319396.tif 000004
【図３】
2006319396.tif 000005
【図４】
2006319396.tif 000006
【図５】
2006319396.tif 000007
【図６】
2006319396.tif 000008
【図７】
2006319396.tif 000009
【図８】
2006319396.tif 000010
【図９】
2006319396.tif 000011
【図１０】
2006319396.tif 000012